(57)【特許請求の範囲】
【請求項１】
四方弁に管を介して接続された圧縮機と、前記四方弁に管を介して接続された室外熱交換器と、該室外熱交換器の一方に管を介して接続された絞り装置と、前記四方弁と前記絞り装置の間に配設された室内熱交換器と、前記四方弁と前記絞り装置の間に配設され２次側熱媒体を加熱するための床暖房用熱交換器とを備え、前記室内熱交換器と前記床暖房用熱交換器とを管を介して直列に接続し、且つ２次側熱媒体の循環供給を行う機能部分を熱交換ユニットとしてユニット化し冷媒回路室外機相当部上部に前記熱交換ユニットを嵌合係止する構成とした床暖房付空気調和機であって、
室外制御基板等が取付けられた冷媒回路室外機相当部の電気品箱直上となる位置に開口穴を設けた熱交換ユニット底板に、開口穴を覆うよう着脱可能な塞ぎ板を設けると共に、
熱交換ユニット底板にほぼ中央に向かって下方傾斜する傾斜面を設け、この傾斜面の底部で且つ冷媒回路室外機相当部内に設けられた室外熱交換器の真上となる位置に排水穴を設けたことを特徴とする床暖房付空気調和機。
【請求項２】
熱交換ユニット内のブラインタンクの最上部に設けた排出口と、冷媒回路室外機相当部の底板へ排出ブラインを導く排出管とを、排出チューブにて接続したことを特徴とする請求項１記載の床暖房付空気調和機。
【請求項３】
熱交換ユニットのブライン循環連絡配管接続バルブを熱交換ユニットの背面下側に縦に並べて配置し、冷媒循環連絡配管接続バルブをブライン循環連絡配管接続バルブ頂上に縦に並べて配置したことを特徴とする請求項１または２記載の床暖房付空気調和機。
【発明の詳細な説明】
【０００１】
【発明の属する技術分野】
本発明は、床暖房付空気調和機に係り、さらに詳しくは、床暖房付空気調和機における部品の構成に関するものである。
【０００２】
【従来の技術】
図１３は、例えば実公平６ー３３２９６号公報に開示された従来の床暖房付空気調和機の一例を示す斜視図である。図において、５８は床暖房付空気調和機の下側部分に圧縮機、冷媒配管群、室外熱交換器、送風ファン、電気品等を備えた冷媒回路室、５９は冷媒回路室５８の上部に設けられた水平仕切板であり、６０は水平仕切板５９の上部に設けられたポンプ、接続バルブ、２次側熱媒体用配管、ブラインタンク、冷媒配管、電気品等を備えた２次側熱媒体回路室であり、６１は室外ケーシング、６２は天板である。
【０００３】
この構造の床暖房付空気調和機の組立手順について説明する。冷媒回路室５８に圧縮機、冷媒配管群、室外熱交換器、送風ファン、電気品等の部品を配置して組み立てる。次に、冷媒回路室５８の上部に水平仕切板５９を取付け、水平仕切板５９上部の２次側熱媒体回路室６０に、ポンプ、接続バルブ、２次側熱媒体用配管、ブラインタンク、冷媒配管、電気品等を配置して組み立てる。その後、室外ケーシング６１にて外周を覆い、２次側熱媒体回路室６０の上部に天板６２を取り付けることにより組み立てを完了する。
【０００４】
【発明が解決しようとする課題】
従来の床暖房付空気調和機は以上のように複数の構成部品が本体ユニットとして一体的に構成されているので、多数の構成部品を含む本体ユニットの製造に当たっては製造工程数が多くなり、又、多額の金型費用が必要となって製造コストが上昇する等の問題があった。
【０００５】
本発明は上記のような課題を解消するためになされたもので、本体ユニットの製造工程数を削減して製造コストを低減すべく、熱交換されたブラインなどの２次側熱媒体の循環供給を行う機能部分を熱交換ユニットとしてユニット化し、冷媒回路室外機相当部上部に前記熱交換ユニットを嵌合係止することによって、床暖房付空気調和機としての構成を実現するに当たり、
第１の目的は、熱交換ユニットを冷媒回路室外機相当部より取り外すことなく、容易に冷媒回路室外機相当部内の室外制御基板等電気品のメンテナンスを施すことが可能な床暖房付空気調和機を提供するものである。
【０００６】
また、第２の目的は、冷房運転した際に、熱交換ユニット内の冷媒配管外周に結露した水が、熱交換ユニットの細かな隙間等から床暖房付空気調和機外郭を伝わり、床暖房付空気調和機外へ流れ出る不具合を回避できる床暖房付空気調和機を提供するものである。
【０００７】
さらに、第３の目的は、床暖房運転時に熱交換され暖まり膨脹したブラインを、熱交換ユニットから冷媒回路室外機相当部の底板へ導き、膨脹したブラインが注水口等より溢れ出ることを回避できる床暖房付空気調和機を提供するものである。
【０００８】
また、第４の目的は、ブライン循環連結配管と冷媒循環連結配管とが交差することを回避し、連絡配管接続作業を容易にできると共に見栄えが良い構造の床暖房付空気調和機を提供するものである。
【０００９】
【課題を解決するための手段】
本発明は、四方弁に管を介して接続された圧縮機と、四方弁に管を介して接続された室外熱交換器と、室外熱交換器の一方に管を介して接続された絞り装置と、四方弁と絞り装置の間に配設された室内熱交換器と、四方弁と絞り装置の間に配設され２次側熱媒体を加熱するための床暖房用熱交換器とを備え、室内熱交換器と床暖房用熱交換器とを管を介して直列に接続し、且つ２次側熱媒体の循環供給を行う機能部分を熱交換ユニットとしてユニット化し冷媒回路室外機相当部上部に熱交換ユニットを嵌合係止する構成とした床暖房付空気調和機であって、室外制御基板等が取付けられた冷媒回路室外機相当部の電気品箱直上となる位置に開口穴を設けた熱交換ユニット底板に、開口穴を覆うよう着脱可能な塞ぎ板を設けると共に、熱交換ユニット底板にほぼ中央に向かって下方傾斜する傾斜面を設け、この傾斜面の底部で且つ冷媒回路室外機相当部内に設けられた室外熱交換器の真上となる位置に排水穴を設けたものである。
こうして、床暖房付空気調和機においは、熱交換ユニットを冷媒回路室外機相当部より取り外すことなく、容易に冷媒回路室外機相当部内の室外制御基板等電気品のメンテナンスを行うことができる。
また、床暖房付空気調和機においては、冷房運転した際に、熱交換ユニット内の冷媒配管外周に結露した水が、熱交換ユニットの細かな隙間等から床暖房付空気調和機外郭を伝わり床暖房付空気調和機外へ流れ出る不具合を回避され、また、冷媒配管外周に結露した水が熱交換ユニット底板に滴下し室外熱交換器に注がれるので、効率の良い冷房運転が実現される。
【００１１】
さらに、床暖房付空気調和機は、熱交換ユニット内ブラインタンクの最上部に設けた排出口と、冷媒回路室外機相当部の底板へ排出ブラインを導く排出管とを、排出チューブにて接続した。
こうして、床暖房付空気調和機においては、床暖房運転時熱交換され暖まり膨脹したブラインが冷媒回路室外機相当部の底板へ導かれ、膨脹したブラインが注水口等より溢れ出ることが回避される。
【００１２】
また、床暖房付空気調和機は、熱交換ユニットのブライン循環連絡配管接続バルブを熱交換ユニット背面下側に縦に並べて配置し、冷媒循環連絡配管接続バルブをブライン循環連絡配管接続バルブの真上に縦に並べて配置した。
こうして、床暖房付空気調和機においては、ブライン循環連絡配管と冷媒循環連絡配管とが交差することを回避し、又、連絡配管接続作業を容易にされると共に見栄え良く設置される。
【００１３】
【発明の実施の形態】
［実施の形態１］
図１は本発明の実施の形態１に係る床暖房付空気調和機の外観を示す斜視図である。１は圧縮機、冷媒配管群、室外熱交換器、送風ファン、電気品等を備えた冷媒回路室外機相当部であり、２はポンプ、接続バルブ、２次側熱媒体用配管、ブラインタンク、冷媒配管、電気品等を備えた熱交換ユニットである。
【００１４】
図２は冷媒回路室外機１ａの構成を示す斜視図である。図において、３は底板４に設置された圧縮機で、一連の冷媒配管群５及び第３の接続バルブ６が連接され、溶接固定されている。７は平面ほぼＬ字状の室外熱交換器であり、床板４上に設置される。８は背面パネル、９は前面パネルで、１０は天面パネルである。１１は外周が底板４、背面パネル８、及び天面パネル１０に当接する仕切板であり、１２は仕切板１１上部に当接し、圧縮機３と一連の冷媒配管群５の上部に配置された電気品箱である。１３は電気品箱１２に取り付けられた室外制御基板である。
【００１５】
図３は熱交換ユニット２の構成を示す分解斜視図、図４は図３の要部の背面斜視図である。図において、１４は、天面パネル１０がない状態の冷媒回路室外機１ａである冷媒回路室外機相当部１上部の天面パネル１０の取り付け部に嵌合係止可能な形状の熱交換ユニット底板であり、冷媒回路室外機相当部１上部に嵌合係止した際、室外制御基板１３等が取り付けられた冷媒回路室外機相当部１の電気品箱１２直上となる位置に、開口穴１５を設けてある。床暖房用熱交換器１６には、ブラインなどの２次側熱媒体を循環させるためのポンプ１７と、第１の接続バルブ１８に接続された２次側熱媒体用配管１９、及びポンプ１７の吸入側に配設されたブラインタンク２０が接続され、且つ、第２の接続バルブ２１に接続された冷媒配管２２、接続配管２３が接続され、熱交換ユニット底板１４上に設置されている。２４は熱交換ユニット底板１４に設けられた開口穴１５を覆う様に熱交換ユニット１４に着脱可能な塞ぎ板である。
【００１６】
２５は熱交換ユニット背面パネル、２６は熱交換ユニット前面パネル、２７は熱交換ユニット側面パネルで、２８は熱交換ユニット天面パネルである。外周が熱交換ユニット底板１４、熱交換ユニット背面パネル２５、熱交換ユニット前面パネル２６、熱交換ユニット天面パネル２８と当接する平面ほぼＬ字状の熱交換ユニット仕切板２９により機械室と電気品室とに仕切られ、電気品室には軸部３０を形成した基板受け３１に熱交換ユニット制御基板３２が取り付けられている。
【００１７】
図５は本発明に係る床暖房付空気調和機を示すブロック図で、暖房運転時の状態を示している。図において、３は低温低圧のガス冷媒を吸入して圧縮し高温高圧のガス冷媒を吐出する圧縮機、３４は四方弁、３５は室内熱交換器、３６は室外熱交換器３７と室内熱交換器３５とを結ぶ冷媒配管に取り付けられた絞り装置である。１６は床暖房用熱交換器であり、図５に示すように、暖房運転時の冷媒流れ方向において、室内熱交換器３５の上流側に冷媒配管により直列接続されている。また、床暖房用熱交換器１６には、ブラインなどの２次側熱媒体を循環させるためのポンプ１７と、２次側熱媒体用配管と床暖房パネル３８が環状に接続されている。３９は冷房運転またはデフロスト運転時に、逆止弁４０を介して床暖房用熱交換器１６をバイパスするバイパス回路であり、２０はブラインを循環しているブライン回路中においてブラインを循環するポンプ１７の吸入側に配設されたブラインタンクである。
【００１８】
本実施の形態の床暖房付空気調和機において、組立手順について説明する。熱交換されたブラインなどの２次側熱媒体の循環供給を行う機能部分を熱交換ユニット２としてユニット化し、且つ、天面パネル１０がない状態の冷媒回路室外機１ａである冷媒回路室外機相当部１上部の天面パネル１０取り付け部に熱交換ユニット底板１４を嵌合係止可能な形状としているので、生産工場にて床暖房付空気調和機を製造するに当たっては、組立完了した空気調和機の冷媒回路室外機１ａを流用し、天面パネル１０を取り外した状態の冷媒回路室外機１ａである冷媒回路室外機相当部１上部の天面パネル１０取り付け部に、新たに組み立てた熱交換ユニット２を取り付けることにより完了する。或いは、冷媒回路室外機相当部１と熱交換ユニット２とを別工程にてそれぞれ組み立てた後、熱交換ユニット２を、冷媒回路室外機相当部１上部に取り付けることにより完了する。
【００１９】
次に、床暖房付空気調和機の設置手順について説明する。床暖房付空気調和機を所定の据付場所に据え付けるに当たり、冷媒回路室外機相当部１と熱交換ユニッット２との間では、熱交換ユニット２の接続配管２３を冷媒回路室外機相当部１の第３の接続バルブ６に接続し、冷媒回路室外機相当部１と熱交換ユニット２各々の電気品間を接続する電源信号線を接続する。又、熱交換ユニット２と空気調和機の室内機との間では、熱交換ユニット２の第２の接続バルブ２１と空気調和機の室内機とを連絡配管接続し、熱交換ユニット２と空気調和機の室内機各々の電気品間を接続する電源信号線を接続する。又、熱交換ユニット２と床暖房パネル３８との間では、熱交換ユニット２の第１の接続バルブ１８と床暖房パネル３８とを連絡配管接続する。これで、床暖房付空気調和機の設置が完了する。
【００２０】
次に、床暖房付空気調和機設置後、冷媒回路室外機相当部１内の室外制御基板１３等電気品のメンテナンスをする必要が生じた場合の作業手順について説明する。先ず、床暖房付空気調和機から熱交換ユニット天面パネル２８を取り外す。次いで、熱交換ユニット制御基板３２が取り付けられた基板受け３１の軸部３０を支点として、基板受け３１を上方へ回転して反転しない位置に保持する。次に、熱交換ユニット底板１４から塞ぎ板２４を取り外すことにより、熱交換ユニット底板１４の開口穴１５より冷媒回路室外機相当部１内の室外制御基板１３等電気品のメンテナンスを施すことが可能である。よって、冷媒回路室外機相当部１から熱交換ユニット２を取り外す等の面倒な作業をすることなく、容易にメンテナンスを施すことができる。又、前記手順にて熱交換ユニット底板１４から塞ぎ板２４を取り外した後、更に熱交換ユニット前面パネル２６を取り外すことにより、メンテナンスを施す際の作業空間が広がり、効率良く作業することが可能である。メンテナンス後の再組立に関しては、塞ぎ板２４を取り付け、基板受け３１を反転し、熱交換ユニット天面パネル２８を取り付けることで完了する。
【００２１】
次に、冷房運転時の動作を説明する。圧縮機３より高温高圧のガス冷媒が吐出し、四方弁３４を通った後、室外熱交換器３７に流入する。室外熱交換器３７に流入したガス冷媒は、高圧液冷媒となって流出する。室外熱交換器３７を流出した冷媒は絞り装置３６を通って減圧され、低温状態となって室内熱交換器３５に流入し、蒸発され、室内熱交換器３５から流出する。室内熱交換器３５から流出した低温の冷媒は、床暖房用熱交換器１６とバイパス回路３９にそれぞれの配管抵抗に反比例して分岐するが、バイパス回路３９の配管抵抗は床暖房用熱交換器１６の配管抵抗に比べて非常に小さいため、ほとんどの低温冷媒がバイパス回路３９側に流れて床暖房用熱交換器１６をバイパスする。バイパス回路３９を流出した冷媒は、四方弁３４を通って圧縮機３に吸入される。
【００２２】
次に、暖房及び床暖房運転時の動作を説明する。圧縮機３より高温高圧のガス冷媒が吐出し、四方弁３４を通った後、床暖房用熱交換器１６に流入する（逆止弁４０が閉となり、バイパス回路３９は機能しない）。床暖房用熱交換器１６に流入したガス冷媒は、ポンプ１７により循環している２次側熱媒体であるブラインと熱交換することにより、吐出温度より冷却されたガス冷媒または乾き度の高い二相冷媒に凝縮し、床暖房用熱交換器１６を流出する。一方、温度の上昇したブラインは床暖房パネル３８内の配管に入り、床暖房パネル３８の表面温度を上昇させた後、ポンプ１７の吸入側のブラインタンク２０に貯留され、床暖房運転を実現させる。床暖房用熱交換器１６を流出したガス冷媒または二相冷媒は、室内熱交換器３５に流入し、室内空気と熱交換することにより、乾き度の低い二相冷媒または過冷却液冷媒に凝縮し、室内熱交換器３５から流出する。一方、室内熱交換器３５を通った室内空気は冷媒との熱交換により温度が上昇し、暖房運転を実現する。室内熱交換器３５から流出した冷媒は絞り装置３６により減圧され、室外熱交換器３７に流入する。ここで外気と熱交換することにより冷媒は蒸発し、乾き度の高い二相冷媒またはガス冷媒となって室外熱交換器３７から流出し、四方弁３４を通って圧縮機３に吸入される。
【００２３】
ところで、上述した床暖房付空気調和機は、暖房運転時の冷媒流れ方向において、床暖房用熱交換器１６を室内熱交換器３５の上流側に直列接続した構造としているので、冷房運転した際に熱交換ユニット２の冷媒配管２２内を低温の冷媒が流れることによって、冷媒配管２２の外周が結露することがある。場合によっては、冷媒配管２２の外周に結露した水が熱交換ユニット底板１４に滴下し、更に細かな隙間等から床暖房付空気調和機外郭を伝わり、床暖房付空気調和機外へ流れ出る不具合が生じる恐れがある。
【００２４】
そこで、図６に示す様に、熱交換ユニット２の冷媒配管２２外周を断熱材４１で覆うことにより、冷媒配管２２外周への結露を回避することができる。
【００２５】
一方、図７に示す様に、熱交換ユニット２の熱交換ユニット底板１４に傾斜面４２を設け、この傾斜の底部で且つ冷媒回路室外機相当部１内に設けられた室外熱交換器７の真上となる位置に排水穴４３を設けることにより、冷媒配管２２の外周に結露した水が熱交換ユニット底板１４に滴下し、熱交換ユニット底板１４に設けられた傾斜面４２によって傾斜の底部に流れ、排水穴４３に導かれるので、冷房運転した際に、熱交換ユニット２の冷媒配管２２外周に結露した水が、細かな隙間等から床暖房付空気調和機外郭を伝わり床暖房付空気調和機外へ流れ出る不具合を回避することができる。更に、排水穴４３に導かれた水は、冷房運転によって高温となっている室外熱交換器７に注がれることによって、室外熱交換器７の温度が下がるので、効率の良い冷房運転を実現することができる。
【００２６】
［実施の形態２］
図８、図９は、本発明の実施の形態２に係るブラインタンク２０を示す斜視図、図１０はブラインタンク２０の断面図、図１１はブラインタンク周囲を示す斜視図である。図において、４４は天面に設けられたブラインを注ぎ入れるための注水口、４５は最上部に設けられた排出口である。４６は最下部に設けられた排水口であり、４７は止め部である。４８は注水口４４から底面までの長さを持ち、所定の位置にブラインを注入する際の水位の目印４９を備えたブラインタンク２０内に設けられたフィルターで、ブラインタンク２０の底面には排水口４６を起点に傾斜５０が設けられている。５１は内側がフィルター４８と接する様に設けられた出口であり、５２は出口５１よりも上部に設けられた入り口である。５３は排水口４６と止め部４７とに接続されゴム等の材料で形成された排水チューブである。５４は、排出口４５と、ブラインタンク２０から排出された排出ブラインを冷媒回路室外機相当部１の底板４へ導く排出管５５とに接続され、ゴム等の材料で形成された排出チューブである。
【００２７】
本実施の形態の床暖房付空気調和機において、ブラインの流れについて説明する。ブラインは、ブラインタンク２０の天面に設けられた注水口４４より、ブラインタンク２０内にフィルタ４８を介して注入される。このとき異物等が混入した場合には、フィルター４８内に沈殿する。次にポンプ１７を運転し、ブラインタンク２０内のブラインを、出口５１→ブライン回路→入り口５２からブラインタンク２０へと循環させるが、ブラインがブライン回路に充填完了するまでの間には、ブライン回路内にあった空気がブラインに押され、入り口５２からブラインタンク２０内に循環され、且つブラインタンク２０内のブライン水位が下がっていくので、注水口４４よりブラインタンク２０内に水位が入り口５２を下回らない程度にブラインを注入していく。これにより、ブラインがブライン回路に充填完了するまでの間では、ブライン回路内にあった空気が入り口５２からブラインタンク２０内に循環されると気泡が確認できる。よってこの気泡がなくなった時点がブラインのブライン回路への充填完了と判断できる。このとき、ブライン回路に異物等が有った場合は、入り口５２からブラインタンク２０内に入るが、出口５１とフィルター４８とが接しているので、ブラインタンク２０内に入った異物等が再びブライン回路へ流れ出ることはない。その後ポンプ１７の運転を停止し、ブラインタンク２０内が所定の水位となる様、目印４９を目安にブラインを注ぎ入れる。
【００２８】
床暖房運転をすると熱交換によりブラインが暖まり膨脹してブラインタンク２０内のブライン水位が上昇するので、ブラインタンク２０内が所定の水位となる様にブラインの膨脹量を考慮した位置に設けた目印４９を目安にブラインを注ぎ入れれば良いが、その際、ブラインの水位が目印４９より上回るまでブラインを注ぎ入れてしまった状態で床暖房運転を実施した場合には、膨脹したブラインは、ブラインタンク２０最上部の排出口４５から排出チューブ５４及び排出管５５を通り冷媒回路室外機相当部１の底板４へ流れ、通常、底板４に設けられている空気調和機の運転によって発生するドレン水を流す為のドレン穴等から機外へと流れ出るので、膨脹したブラインが注水口４４等より溢れ出ることを回避できる。或いは、ブラインの水位が目印４９より上回るまでブラインを注ぎ入れてしまった際、排水チューブ５３を止め部４７から取り外し、ブラインタンク２０内のブラインを排水口４６から排水チューブ５３を通し床暖房付空気調和機の外に排水することにより、ブラインタンク２０内のブライン水位を所定の水位となる様目印４９を目安に調整することが可能である。
【００２９】
これとは別に、何らかの理由でブラインタンク２０内のブラインを全て排水したい場合においては、ブラインタンク２０の底面には排水口４６を起点に傾斜５０が設けられているので、止め部４７から取り外した排水チューブ５３の先端を水平方向に傾け、ブラインタンク２０内のブラインを排水口４６から排水チューブ５３を介して排水することにより、ブラインを全て排水することが可能である。
【００３０】
また、床暖房付空気調和機の据付場所によっては、ブラインタンク２０内のブラインを、排水口４６から排水チューブ５３を通して床暖房付空気調和機の外に排水することができない場合があるが、排出チューブ５４を排水管５５から取り外し、止め部４７から取り外した排水チューブ５３を排出管５５に接続できる様に配置した構造とすることにより、ブラインタンク２０内のブラインを、排水口４６から排水チューブ５３及び排出管５５を介し冷媒回路室外機相当部１の底板４へ流し、通常、底板４に設けられているドレン穴等から機外へと流すことが可能である。
【００３１】
また、ブラインがブライン回路に充填完了するまでの間では、ブライン回路内にあった空気が入り口５２からブラインタンク２０内に循環されると気泡が発生するが、入り口５２を出口５１よりも上部に設けているので、ブライン回路内にあった空気が入り口５２からブラインタンク２０内に循環され、発生した気泡が再び出口５１よりブライン回路内に循環されることがない。
【００３２】
［実施の形態３］
図１２は本発明の実施の形態３に係る接続バルブ及びその周囲を示す斜視図である。図において、１８は、熱交換ユニット２内のブライン回路に接続され、熱交換ユニット２の背面下側に縦に並べて配置され、熱交換ユニット２と床暖房パネル３８間のブライン循環するための第１の連結配管５６を接続する為のブライン循環方向に対して往又は帰り側の第１の接続バルブである。２１は、熱交換ユニット２内の冷媒回路に接続され、熱交換ユニット２背面の上記第１の接続バルブ１８真上に縦に並べて配置され、熱交換ユニット２と空気調和機の室内機間の冷媒循環する為の第２の連絡配管５７を接続する為の第２の接続バルブである。２７は、熱交換ユニット２側壁として縦に並べて配置された第１の接続バルブ１８及び第２の接続バルブ２１のカバーを兼ねた熱交換ユニット側面パネルである。
【００３３】
本実施の形態の床暖房付空気調和機において、熱交換ユニット２と空気調和機の室内機及び床暖房パネル３８との配管接続の作業手順について説明する。床暖房付空気調和機を輸送時の梱包状態から開梱した状態においては、第１の接続バルブ１８及び第２の接続バルブ２１は、熱交換ユニット２背面側からのみ見える状態となっている。配管接続作業をするに当たっては、熱交換ユニット側面パネル２７を取り外すことにより、第１の接続バルブ１８及び第２の接続バルブ２１への第１の連絡配管５６、第２の連絡配管５７を接続する為に使用する工具を用いた床暖房付空気調和機側面からの作業が可能となり、熱交換ユニット２と床暖房パネル３８間のブラインが循環する為の第１の連絡配管５６を第１の接続バルブ１８に接続し、熱交換ユニット２と空気調和機の室内機間の冷媒循環する為の第２の連絡配管５７を第２の接続バルブ２１に接続する。その後、熱交換ユニット側面パネル２７を床暖房付空気調和機に取り付ける。
【００３４】
上述した第１の接続バルブ１８及び第２の接続バルブ２１の構造は、冷媒回路室外機１ａの第３の接続バルブ６の構造と同等のものを用い、第１の連絡配管５６、第２の連絡配管５７は市販の銅パイプを用いることとしているので、例えば架橋ポリエチレンパイプを用いた場合と異なり、銅パイプの入手性及び加工性の良さから、日常空気調和機の据付作業をしている据付作業者が簡単に床暖房付空気調和機の据付作業を行うことが可能である。又、第１の連絡配管５６、第２の連絡配管５７は市販の銅パイプを用いることとしているので、製品廃却時のリサイクル面においても実に有効的といえる。更に、第１の接続バルブ１８と第１の連絡配管５６とを、又、第２の接続バルブ２１と第２の連絡配管５７とを確実に接続する必要があるが、例えば第１の接続バルブ１８には適合銅パイプ外形φ１２．７のサイズのものを構成すると共に、第１の連絡配管５６には外形φ１２．７の銅パイプを用い、第２の接続バルブ２１には適合銅パイプ外形φ６．３５及びφ９．５２サイズのものを構成すると共に、第２の連絡配管５７には外形φ６．３５及びφ９．５２の銅パイプを用いることにより、容易かつ確実に間違いなく接続することができる。
【００３５】
また、床暖房付空気調和機の据付場所としては、空気調和機の室内機及び床暖房パネル３８を設置した部屋の直近の屋外への据付がその殆どと考えられ、設置した暖房付空気調和機の熱交換ユニット２に対して、下側から第１の連絡配管５６を第１の接続バルブ１８に接続し、上側から第２の連絡配管５７を第２の接続バルブ２１に接続する場合が多いが、第１の接続バルブ１８を熱交換ユニット２の背面下側に縦に並べて配置し、第２の接続バルブ２１を前記第１の接続バルブ１８の真上に縦に並べて配置したので、第１の連絡配管５６を第１の接続バルブ１８に接続し、第２の連絡配管５７を第２の接続バルブ２１に接続した際、第１の連絡配管５６と第２の連絡配管５７とが交差することを回避できる。これにより、床暖房付空気調和機への各連絡配管接続作業が容易にできると共に、設置後の外観を著しく阻害することがない。
【００３６】
【発明の効果】
以上の説明から明らかなように、本発明は、四方弁に管を介して接続された圧縮機と、四方弁に管を介して接続された室外熱交換器と、室外熱交換器の一方に管を介して接続された絞り装置と、四方弁と絞り装置の間に配設された室内熱交換器と、四方弁と絞り装置の間に配設され２次側熱媒体を加熱するための床暖房用熱交換器とを備え、室内熱交換器と床暖房用熱交換器とを管を介して直列に接続し、且つ２次側熱媒体の循環供給を行う機能部分を熱交換ユニットとしてユニット化し冷媒回路室外機相当部上部に熱交換ユニットを嵌合係止する構成とした床暖房付空気調和機であって、室外制御基板等が取付けられた冷媒回路室外機相当部の電気品箱直上となる位置に開口穴を設けた熱交換ユニット底板に、開口穴を覆うよう着脱可能な塞ぎ板を設けると共に、熱交換ユニット底板にほぼ中央に向かって下方傾斜する傾斜面を設け、この傾斜面の底部で且つ冷媒回路室外機相当部内に設けられた室外熱交換器の真上となる位置に排水穴を設けたものである。このため、熱交換ユニットを冷媒回路室外機相当部より取り外すことなく、容易に冷媒回路室外機相当部内の室外制御基板等電気品のメンテナンスを施すことができる。また、冷房運転した際に、熱交換ユニット内の冷媒配管外周に結露した水が、熱交換ユニットの細かな隙間等から床暖房付空気調和機外郭を伝わり床暖房付空気調和機外へ流れ出る不具合を回避され、さらに、冷媒配管外周に結露した水が熱交換ユニット底板に滴下し室外熱交換器に注がれるので、効率の良い冷房運転を実現することができる。
【００３８】
さらに、熱交換ユニット内ブラインタンク最上部に設けた排出口と、冷媒回路室外機相当部の底板へ排出ブラインを導く排出管とを、排出チューブにて接続したので、床暖房運転時、熱交換され暖まり膨脹したブラインを冷媒回路室外機相当部の底板へ導くことができ、膨脹したブラインが注水口等より溢れ出ることを回避できる。
【００３９】
また、熱交換ユニットのブライン循環連絡配管接続バルブを熱交換ユニット背面下側に縦に並べて配置し、冷媒循環連絡配管接続バルブをブライン循環連絡配管接続バルブの真上に縦に並べて配置したので、ブライン循環連絡配管と冷媒循環連絡配管とが交差することを回避でき、また、連絡配管接続作業が容易にできると共に設置後の見栄えがよい。
【図面の簡単な説明】
【図１】  本発明の実施の形態１に係る床暖房付空気調和機の斜視図である。
【図２】  実施の形態１に係る冷媒回路室外機の分解斜視図である。
【図３】  実施の形態１に係る熱交換ユニットの分解斜視図である。
【図４】  図３の要部の背面斜視図である。
【図５】  実施の形態１に係る床暖房付空気調和機のブロック図である。
【図６】  実施の形態１に係る熱交換ユニットの要部斜視図である。
【図７】  実施の形態１に係る熱交換ユニットの要部斜視図である。
【図８】  本発明の実施の形態２に係る熱交換ユニットのブラインタンクの斜視図である。
【図９】  実施の形態２に係る熱交換ユニットのブラインタンクの斜視図である。
【図１０】  実施の形態２に係る熱交換ユニットのブラインタンクの縦断面図である。
【図１１】  実施の形態２に係る熱交換ユニットの要部斜視図である。
【図１２】  本発明の実施の形態３に係る熱交換ユニットの要部斜視図である。
【図１３】  従来の床暖房付空気調和機の一例を示す斜視図である。
【符号の説明】
１  冷媒回路室外機相当部、１ａ  冷媒回路室外機、２  熱交換ユニット、３圧縮機、４  底板、１３  室外制御基板、１４  熱交換ユニット底板、１５  開口穴、１６  床暖房用熱交換器、１８  第１の接続バルブ、２０  ブラインタンク、２１  第２の接続バルブ、２４  塞ぎ板、３４  四方弁、３５  室内熱交換器、３６  絞り装置、３７  室外熱交換器、４２  傾斜面、４３  排水穴、４５  排出口、５４  排出チューブ、５５  排出管、５６  第１の連絡配管、５７第２の連絡配管。
【図１】
0004022858.tif 000002
【図２】
0004022858.tif 000003
【図３】
0004022858.tif 000004
【図４】
0004022858.tif 000005
【図５】
0004022858.tif 000006
【図６】
0004022858.tif 000007
【図７】
0004022858.tif 000008
【図８】
0004022858.tif 000009
【図９】
0004022858.tif 000010
【図１０】
0004022858.tif 000011
【図１１】
0004022858.tif 000012
【図１２】
0004022858.tif 000013
【図１３】
0004022858.tif 000014